(57)【特許請求の範囲】
【請求項１】
ＩＣチップを内蔵する移動端末と、電子貨幣を用いた取引の決済を前記ＩＣチップとの間で行うリーダ／ライタとを備える通信システムであって、
前記移動端末は、
前記移動端末が位置する特定の地域内でのみ放送され、前記特定の地域に特有の情報を含む地域放送を受信する受信部と、
前記地域放送の周波数を示す周波数情報と、前記地域放送の受信に応じて提供される電子貨幣の種類及び値を示す電子貨幣情報と、前記電子貨幣の提供を受けるための所定の条件を示す条件情報とを取得する放送情報取得部と、
前記周波数情報、前記電子貨幣情報及び前記条件情報を格納する格納部と、
前記周波数情報を用いて前記地域放送を受信したことにより前記所定の条件が充たされた場合に、前記所定の条件が充たされた旨を示す充足情報を生成し、前記ＩＣチップに前記充足情報を転送する制御部とを備え、
前記ＩＣチップは、
認証を行うことなく情報を格納する第１メモリ領域と、
認証を行った後に情報を格納する第２メモリ領域とを有しており、
前記第１メモリ領域は、前記制御部から転送される前記充足情報を格納し、
前記リーダ／ライタは、
前記ＩＣチップとの間で前記電子貨幣を用いた取引の決済を行う際に、前記第１メモリ領域から前記充足情報を取得する充足情報取得部と、
取得した前記充足情報に基づいて、前記移動端末に提供すべき前記電子貨幣を前記第２メモリ領域に送信する送信部とを備える
ことを特徴とする通信システム。
【請求項２】
前記所定の条件は、前記周波数情報を取得したときから所定の期間内において、所定の時間以上、前記地域放送を受信することである
ことを特徴とする請求項１に記載の通信システム。
【請求項３】
リーダ／ライタとの間で電子貨幣を用いた取引の決済を行うＩＣチップを内蔵する移動端末であって、
前記移動端末が位置する特定の地域内でのみ放送され、前記特定の地域に特有の情報を含む地域放送を受信する受信部と、
前記地域放送が送信される周波数を示す周波数情報と、前記地域放送の受信に応じて提供される電子貨幣を示す電子貨幣情報と、前記電子貨幣の提供を受けるための所定の条件を示す条件情報とを取得する放送情報取得部と、
取得した前記周波数情報、前記電子貨幣情報及び前記条件情報を格納する格納部と、
格納された前記周波数情報を用いて前記地域放送を受信したことにより前記所定の条件が充たされた場合に、前記所定の条件が充たされた旨を示す充足情報を生成し、前記ＩＣチップに前記充足情報を転送する制御部とを備え、
前記ＩＣチップは、
認証を行うことなく情報を格納する第１メモリ領域と、
認証を行った後に情報を格納する第２メモリ領域とを有しており、
前記第１メモリ領域は、前記制御部から転送される前記充足情報を格納する
ことを特徴とする移動端末。
【発明の詳細な説明】
【技術分野】
【０００１】
本発明は、移動端末と無線通信をするリーダ／ライタを備える通信システム及び移動端末に関する。
【背景技術】
【０００２】
近年、デジタルテレビジョン放送を受信する機能を備える移動端末（例えば、携帯電話やＰＤＡなど）が広く普及しつつある。
【０００３】
また、このような移動端末が特定の店舗、イベント会場、商店街、地下街などの地域に位置する場合において、当該地域に特有の情報をデジタルテレビジョン放送（以下、「地域放送」という。）する技術が提案されている（例えば、非特許文献１、非特許文献２参照）。
【０００４】
通常、地域放送の周波数は地域毎に異なるため、移動端末を用いて地域放送を視聴するには、地域放送の周波数を示す情報を取得する必要がある。
【非特許文献１】「ワンセグ連結再送信装置の開発」〈URL:http://www.nhk.or.jp/strl/publica/giken_dayori/jp2/rd-0702-2.html〉［平成１９年７月１日検索］
【非特許文献２】「世界初、微弱電波によるワンセグコンテンツ配信システム“スポットキャスト”を開発」〈URL:http://pr.fujitsu.com/jp/news/2007/03/5.html〉［平成１９年７月１日検索］
【発明の開示】
【発明が解決しようとする課題】
【０００５】
移動端末に地域放送の周波数を示す情報を取得させる手法としては、ＱＲコードや赤外線通信などを利用することが考えられる。
【０００６】
また、ユーザに地域放送に対する関心を持たせる手法としては、地域放送の視聴に応じた電子マネーや電子クーポンなど（以下、「電子貨幣」という。）をユーザに提供することが考えられる。このような電子貨幣は、移動端末に内蔵されるＩＣチップのメモリ領域に格納されることにより利用可能となる。
【０００７】
ここで、ＩＣチップのメモリ領域は、ユーザが自由に情報を書き込めるオープンメモリ領域と、ユーザが情報を書き込めないクローズドメモリ領域とから構成される。電子貨幣は、改ざんされることを防ぐためにクローズドメモリ領域に書き込まれる。クローズドメモリ領域への電子貨幣の書き込みは、電子貨幣サービスを提供する専用サーバによってインターネット等を介して行うか、電子貨幣を用いた電子決済システムを構成するリーダ／ライタによって行うことができる。
【０００８】
このように、ユーザは、地域放送の視聴に応じて提供される電子貨幣を取得するための条件を満たしても、自らクローズドメモリ領域に電子貨幣を書き込むことはできない。従って、地域放送の視聴に応じて提供される電子貨幣を、リーダ／ライタを用いてクローズドメモリ領域に書き込むための通信システムが望まれる。
【０００９】
そこで、本発明は、このような状況に鑑みてなされたものであり、地域放送の視聴に応じて提供される電子貨幣を、リーダ／ライタを用いてクローズドメモリ領域に書き込むための通信システム及び移動端末を提供することを目的とする。
【課題を解決するための手段】
【００１０】
上述した問題を解決するため、本発明は、次のような特徴を有している。まず、本発明の第１の特徴は、ＩＣチップ（非接触型ＩＣチップ２００）を内蔵する移動端末（移動端末１）と、電子貨幣を用いた取引の決済を前記ＩＣチップとの間で行うリーダ／ライタ（リーダ／ライタ２０）とを備える通信システムであって、移動端末は、移動端末が位置する特定の地域内でのみ放送され、特定の地域に特有の情報を含む地域放送を受信する受信部（受信部１５０）と、地域放送の周波数を示す周波数情報と、地域放送の受信に応じて提供される電子貨幣の種類及び値を示す電子貨幣情報と、電子貨幣の提供を受けるための所定の条件を示す条件情報とを取得する放送情報取得部（放送情報取得部１００）と、周波数情報、電子貨幣情報及び条件情報を格納する格納部（格納部１２０）と、周波数情報を用いて地域放送を受信したことにより所定の条件が充たされた場合に、所定の条件が充たされた旨を示す充足情報を生成し、ＩＣチップに充足情報を転送する制御部（制御部１１０）とを備え、ＩＣチップは、認証を行うことなく情報を格納する第１メモリ領域（オープンメモリ領域２２０）と、認証を行った後に情報を格納する第２メモリ領域（クローズドメモリ領域２４０）とを有しており、第１メモリ領域は、制御部から転送される充足情報を格納し、リーダ／ライタは、ＩＣチップとの間で電子貨幣を用いた取引の決済を行う際に、第１メモリ領域から充足情報を取得する充足情報取得部（取得部２４）と、取得した充足情報に基づいて、移動端末に提供すべき電子貨幣を第２メモリ領域に送信する送信部（送信部２６）とを備えることを要旨とする。
【００１１】
このように、本発明の第１の特徴によれば、このように、移動端末は、充足情報をＩＣチップのフリー領域であるオープンメモリ領域に一旦格納する。リーダ／ライタは、オープンメモリ領域に格納された充足情報を取得する。その結果、リーダ／ライタは、充足情報に基づいて、地域放送の受信に応じて提供される電子貨幣をクローズドメモリ領域に格納することができる。
【００１２】
本発明の第１の特徴において、所定の条件は、周波数情報を取得したときから所定の期間内において、所定の時間以上、地域放送を受信することであることが好ましい。
【００１３】
本発明の第２の特徴は、リーダ／ライタ（リーダ／ライタ２０）との間で電子貨幣を用いた取引の決済を行うＩＣチップ（非接触型ＩＣチップ２００）を内蔵する移動端末（移動端末１）であって、移動端末が位置する特定の地域内でのみ放送され、特定の地域に特有の情報を含む地域放送を受信する受信部（受信部１５０）と、地域放送が送信される周波数を示す周波数情報と、地域放送の受信に応じて提供される電子貨幣を示す電子貨幣情報と、電子貨幣の提供を受けるための所定の条件を示す条件情報とを取得する放送情報取得部（放送情報取得部１００）と、周波数情報、電子貨幣情報及び条件情報を格納する格納部（格納部１２０）と、周波数情報を用いて地域放送を受信したことにより所定の条件が充たされた場合に、所定の条件が充たされた旨を示す充足情報を生成し、ＩＣチップに充足情報を転送する制御部（制御部１１０）とを備え、ＩＣチップは、認証を行うことなく情報を格納する第１メモリ領域（第１メモリ領域２２０）と、認証を行った後に情報を格納する第２メモリ領域（第２メモリ領域２４０）とを有しており、第１メモリ領域は、制御部から転送される充足情報を格納することを要旨とする。
【発明の効果】
【００１４】
本発明の特徴によれば、地域放送の視聴に応じて提供される電子貨幣を、リーダ／ライタを用いてクローズドメモリ領域に書き込むための通信システム及び移動端末を提供することができる。
【発明を実施するための最良の形態】
【００１５】
次に、本発明の実施形態について、図面を参照しながら説明する。なお、以下の図面の記載において、同一または類似の部分には、同一または類似の符号を付している。
【００１６】
（１）通信システムの概略
まず、実施形態に係る通信システムの概略について説明する。図１は、本実施形態に係る通信システムの構成図である。
【００１７】
同図に示すように、本実施形態に係る通信システムは、移動端末１と、放送送信局１０と、放送管理サーバ１１と、リーダ／ライタ２０と、ＩＣ管理サーバ２１とを備える。
【００１８】
移動端末１は、いわゆるワンセグ（商標）放送に対応した放送アプリケーションを利用できる移動端末である。ここで、ワンセグ放送とは、地上デジタルテレビジョン放送の１チャンネルあたりの帯域（６MHz）を１３のセグメントに分け、そのうちの１セグメントを利用して提供される移動端末向けの放送である。このような、移動端末１としては、携帯電話やＰＤＡなどを用いることができる。
【００１９】
また、移動端末１は、後述するように、電子マネー、電子クーポン、又は、特定の地域において利用可能なポイントなど（以下、「電子貨幣」という。）を用いた電子決済システムを利用することができる。
【００２０】
放送送信局１０は、放送管理サーバ１１と接続される。放送送信局１０は、店舗、地下鉄構内、イベント会場、商店街、地下街などの特定の地域において、当該特定の地域に特有の情報を放送（以下、「地域放送」という。）する。本実施形態において、地域放送の放送形式は、ワンセグ放送の放送形式に則っている。従って、移動端末１は、ワンセグ放送を受信するための放送アプリケーションを利用して地域放送を受信できる。放送送信局１０は、地域放送に限らず、地上デジタルテレビジョン放送の周波数を変更して再送信していてもよい。放送送信局１０は地域放送を微弱な電波によって送信するため、放送送信局１０のカバーエリアＰは上記特定の地域に対応する狭小な範囲に限られる。
【００２１】
リーダ／ライタ２０は、ＩＣ管理サーバ２１と接続される。リーダ／ライタ２０及びＩＣ管理サーバ２１は、電子貨幣を用いた電子決済システムを運営する事業者によって設置される。移動端末１のユーザは商品の購入や役務の提供に際して、移動端末１を用いてリーダ／ライタ２０と通信を行うことにより電子決済を行うことができる。
【００２２】
（２）移動端末１の構成
次に、移動端末１の構成について、図２を参照しながら説明する。図２は、移動端末１の構成を示すブロック図である。
【００２３】
同図に示すように、移動端末１は、放送情報取得部１００、制御部１１０、格納部１２０、映像出力部１３０、音声出力部１３５、選択部１４０、受信部１５０及び非接触型ＩＣチップ２００を備える。
【００２４】
放送情報取得部１００は、地域放送に関する情報を取得する。具体的には、放送情報取得部１００として、バーコードリーダ，ＱＲコードリーダ，ＲＦＩＤ（Radio Frequency IDentification）リーダ，赤外線通信，無線ＬＡＮ通信，ＯＣＲ（Optical Character Reader）などを用いることができる。放送情報取得部１００は、地域放送を選局するための情報を示す選局情報Ａ、地域放送される番組の内容を示す番組情報Ｂ、地域放送の受信に応じて提供される電子貨幣の種類及び値を示す電子貨幣情報Ｃ、地域放送の受信に応じて電子貨幣の提供を受けるための所定の条件を示す条件情報Ｄを含む放送情報Ｘを取得する。放送情報取得部１００は、取得した放送情報Ｘを制御部１１０に送信する。
【００２５】
選局情報Ａは、地域放送を選局するための情報、例えば、放送方式、放送ネットワークＩＤ、周波数などを示す情報を含む。
【００２６】
番組情報Ｂは、地域放送される番組の内容、例えば、番組のタイトル，番組内容の要約，視聴時間などを示す情報を含む。
【００２７】
電子貨幣情報Ｃは、地域放送の受信に応じて提供される電子貨幣の種類及び値、例えば、電子マネーの金額，電子クーポン（商品券）の枚数、特定地域の各種サービスに利用可能なポイントの値などを示す。
【００２８】
条件情報Ｄは、地域放送の受信に応じて電子貨幣の提供を受けるための所定の条件を示す。所定の条件としては、例えば、ＢＭＬ（Broadcast Markup Language）上で所定のボタンを押下する等が適用できる。本実施形態における所定の条件は、放送情報Ｘを取得したときから所定の期間内において、所定の時間以上、地域放送を受信することである。
【００２９】
なお、選局情報Ａ、番組情報Ｂ、電子貨幣情報Ｃ及び条件情報Ｄは、地域放送を提供する放送事業者（例えば、特定地域における店舗の事業主）によって設定される。
【００３０】
制御部１１０は、放送情報処理部１１２、条件判定部１１４及び充足情報生成部１１６を備える。
【００３１】
放送情報処理部１１２は、例えば、移動端末１の放送アプリケーションソフトウェアである。放送情報処理部１１２は、放送情報Ｘに含まれる各情報の種別に応じて、放送情報Ｘを処理する。
【００３２】
具体的に、放送情報処理部１１２は、選局情報Ａに含まれる放送方式等に基づいて、地域放送を放送アプリケーションソフトウェアによって受信できるか否か判定する。放送情報処理部１１２は、地域放送を受信できると判定した場合、放送情報Ｘを格納部１２０に転送する。放送情報処理部１１２は、映像出力部１３０に番組情報Ｂ、電子貨幣情報Ｃ及び条件情報Ｄを転送する。放送情報処理部１１２は、条件判定部１１４に条件情報Ｄを転送する。放送情報処理部１１２は、充足情報生成部１１６に電子貨幣情報Ｃを転送する。放送情報処理部１１２は、受信部１５０を起動して地域放送を受信する場合、選局情報Ａに含まれる周波数を示す情報を受信部１５０に転送する。
【００３３】
条件判定部１１４は、放送情報処理部１１２から条件情報Ｄを取得する。また、条件判定部１１４は、放送情報取得部１００が放送情報Ｘを取得したときからの経過時間と、受信部１５０が地域放送を連続受信した受信時間とを計測する。条件判定部１１４は、計測した経過時間と受信時間とに基づいて、条件情報Ｄに含まれる所定の条件が充たされたか否かを判定する。条件判定部１１４は、所定の条件が充たされたと判定した場合、その旨を充足情報生成部１１６に通知する。
【００３４】
充足情報生成部１１６は、放送情報処理部１１２から電子貨幣情報Ｃを取得する。また、充足情報生成部１１６は、条件判定部１１４から所定の条件が充たされた旨の通知を受ける。充足情報生成部１１６は、電子貨幣情報Ｃと所定の条件が充たされた旨の通知とに基づいて、地域放送の受信に応じて提供される電子貨幣を移動端末１のユーザが取得できることを示す充足情報Ｅを生成する。充足情報生成部１１６は、生成した充足情報Ｅを非接触型ＩＣチップ２００に転送する。その後、充足情報生成部１１６は、格納部１２０に格納された電子貨幣情報Ｃに、当該電子貨幣情報Ｃに基づく充足情報Ｅが非接触型ＩＣチップに転送されたことを示すフラグ情報を付加する。また、充足情報生成部１１６は、充足情報Ｅが非接触型ＩＣチップに転送された旨を放送情報処理部１１２に通知する。放送情報処理部１１２は、その旨を、映像出力部１３０における表示により、又は、音声出力部１３５を用いたアラームによりユーザに通知することができる。
【００３５】
格納部１２０は、放送情報処理部１１２から転送された放送情報Ｘ、即ち、選局情報Ａ、番組情報Ｂ、電子貨幣情報Ｃ及び条件情報Ｄを格納する。
【００３６】
映像出力部１３０は、例えば、移動端末１のディスプレイである。映像出力部１３０は、放送情報処理部１１２から転送された番組情報Ｂ、電子貨幣情報Ｃ及び条件情報Ｄを表示する。これにより、移動端末１の位置において受信可能な地域放送が放送されていることをユーザに通知することができる。また、映像出力部１３０は、地域放送に含まれる画像信号又は映像信号を出力（表示）する。
【００３７】
音声出力部１３５は、地域放送に含まれる音声信号を出力する。また、映像出力部１３０が番組情報Ｂ、電子貨幣情報Ｃ及び条件情報Ｄを表示する場合に、アラーム音などを出力することができる。
【００３８】
選択部１４０は、例えば、移動端末１の表面に配設された操作キーである。選択部１４０は、映像出力部１３０に番組情報Ｂ、電子貨幣情報Ｃ及び条件情報Ｄが表示された場合において、ユーザから地域放送の受信指示を受付ける。選択部１４０は、受信指示を受付けた旨を放送情報処理部１１２に通知する。放送情報処理部１１２は、選択部１４０から通知された受信指示に応じて、選局情報Ａに含まれる周波数を示す情報を受信部１５０に転送する。
【００３９】
受信部１５０は、デジタル放送（ワンセグ放送）を、所定のチャンネル（周波数）にチューニングして受信する。また、受信部１５０は、放送情報処理部１１２から転送される周波数を示す情報に基づいて、地域放送の周波数にチューニングを行う。これにより、受信部１５０は、放送送信局１０から送信される地域放送の放送信号を受信する。放送信号から分離された映像信号は映像出力部１３０に転送され、放送信号から分離された音声信号は音声出力部１３５に転送される。また、受信部１５０は、地域放送を受信している間、随時、その旨を条件判定部１１４に通知する。
【００４０】
（３）非接触型ＩＣチップ２００及びリーダ／ライタ２０の構成
次に、非接触型ＩＣチップ２００及びリーダ／ライタ２０の構成について、図３を参照しながら説明する。図３は、非接触型ＩＣチップ２００とリーダ／ライタ２０との構成を示すブロック図である。
【００４１】
非接触型ＩＣチップ２００は、リーダ／ライタ２０との間で電子貨幣を用いた取引の決済を行う。図３に示すように、非接触型ＩＣチップ２００は、オープンメモリ領域２２０とクローズドメモリ領域２４０とを備える。
【００４２】
オープンメモリ領域２２０に格納された情報は、認証を行うことなく、制御部１１０及びリーダ／ライタ２０によって変更されうるフリー領域である。従って、充足情報生成部１１６は、オープンメモリ領域２２０との間で認証を行うことなく、オープンメモリ領域２２０に充足情報Ｅを格納できる。
【００４３】
クローズドメモリ領域２４０は、電子貨幣の種類及びその値を示す情報を格納する。クローズドメモリ領域２４０に格納された情報は、リーダ／ライタ２０との間で認証を行った後に、リーダ／ライタ２０によって変更されうる共通領域である。移動端末１のユーザが電子貨幣を用いて取引の決済を行う場合、又は、電子貨幣の補充を行う場合、リーダ／ライタ２０によってクローズドメモリ領域２４０に格納された情報は書き換えられる。
【００４４】
リーダ／ライタ２０は、電子貨幣を用いた取引の決済を非接触型ＩＣチップ２００との間で行う。図３に示すように、リーダ／ライタ２０は、制御部２２、取得部２４及び送信部２６を備える。
【００４５】
制御部２２は、非接触型ＩＣチップ２００との間で電子決済を行う際、オープンメモリ領域２２０及びクローズドメモリ領域２４０に格納された情報の読み込み及び書き込みを行うよう、取得部２４及び送信部２６を制御する。制御部２２は、非接触型ＩＣチップ２００との間で認証を行う。
【００４６】
取得部２４は、制御部２２の制御の下、オープンメモリ領域２２０に格納された情報を読み込む。従って、取得部２４は、オープンメモリ領域２２０に充足情報Ｅが格納されている場合、充足情報Ｅを取得する。
【００４７】
また、取得部２４は、制御部２２の制御の下、クローズドメモリ領域２４０に格納された電子貨幣に関する情報を書き換える。例えば、ユーザが商品を購入した場合、取得部２４は、クローズドメモリ領域２４０に格納されている電子マネーの残高から商品代金を差し引いた値に残高を書き換える。
【００４８】
送信部２６は、充足情報Ｅが取得された場合、充足情報Ｅによって示される電子貨幣の種類及び値をクローズドメモリ領域２４０に格納する。例えば、送信部２６は、充足情報Ｅによって示される電子貨幣の種類と同じ種類の電子貨幣がクローズドメモリ領域２４０に格納されている場合、当該電子貨幣の値（残高）を、充足情報Ｅに示される値を加えた値に書き換える。
【００４９】
（４）移動端末１の動作（その１）
次に、移動端末１において地域放送を受信するまでの動作について、図４を参照しながら説明する。図４は、移動端末１における動作を示すフローチャートである。
【００５０】
ステップＳ１０１において、放送情報取得部１００は、選局情報Ａ、番組情報Ｂ、電子貨幣情報Ｃ及び条件情報Ｄを含む放送情報Ｘを取得して、放送情報処理部１１２に放送情報Ｘを転送する。
【００５１】
ステップＳ１０２において、放送情報処理部１１２は、選局情報Ｂに含まれる地域放送の放送方式を示す情報に基づいて、移動端末１の放送アプリケーションソフトウェアによって地域放送を受信可能であるか否かを判定する。地域放送を移動端末１の放送アプリケーションソフトウェアによって受信できる場合、放送情報処理部１１２は放送情報Ｘを格納部１２０に転送する。一方、地域放送を移動端末１の放送アプリケーションソフトウェアによって受信できない場合、処理は終了する。
【００５２】
ステップＳ１０３において、格納部１２０は、放送情報処理部１１２から転送される放送情報Ｘを格納する。
【００５３】
ステップＳ１０４において、放送情報処理部１１２は、映像出力部１３０に番組情報Ｂ、電子貨幣情報Ｃ及び条件情報Ｄを、条件判定部１１４に条件情報Ｄを転送する。
【００５４】
ステップＳ１０５において、映像出力部１３０は、放送情報処理部１１２から転送された番組情報Ｂ、電子貨幣情報Ｃ及び条件情報Ｄを表示する。
【００５５】
ステップＳ１０６において、選択部１４０は、ユーザによる地域放送の受信指示の有無を確認する。ユーザからの受信指示が有った場合、処理はステップＳ１０７に進む。一方、ユーザからの受信指示が無かった場合、処理は終了する。
【００５６】
ステップＳ１０７において、放送情報処理部１１２は、選局情報Ａに含まれる周波数を示す情報を受信部１５０に転送する。
【００５７】
ステップＳ１０８において、受信部１５０は、放送情報処理部１１２から転送される周波数を示す情報に基づいて、地域放送の周波数にチューニングを行う。これにより、地域放送の受信が開始される。
【００５８】
（５）移動端末１の動作（その２）
次に、移動端末１において充足情報Ｅを格納するまでの動作について、図５を参照しながら説明する。図５は、移動端末１における動作を示すフローチャートである。
【００５９】
ステップＳ２０１において、条件判定部１１４は、放送情報取得部１００が放送情報Ｘを取得したときからの経過時間と、受信部１５０が地域放送を連続受信した受信時間とに基づいて、条件情報Ｄに含まれる所定の条件が充たされたか否かを判定する。条件判定部１１４は、所定の条件が充たされたと判定した場合、その旨を充足情報生成部１１６に通知し、処理はステップＳ２０２に進む。一方、条件判定部１１４が所定の条件は充たされていないと判定した場合、処理は終了する。
【００６０】
ステップＳ２０２において、充足情報生成部１１６は、所定の条件が充たされた旨の通知と電子貨幣情報Ｃとに基づいて、地域放送の受信に応じて提供される電子貨幣を移動端末１のユーザが取得できることを示す充足情報Ｅを生成し、非接触型ＩＣチップ２００のオープンメモリ領域２２０に転送する。
【００６１】
ステップＳ２０３において、充足情報生成部１１６は、格納部１２０に格納された電子貨幣情報Ｃに、当該電子貨幣情報Ｃに基づく充足情報Ｅが非接触型ＩＣチップに転送されたことを示すフラグ情報を付加する。
【００６２】
（６）受信に応じて提供される電子貨幣の格納処理
次に、リーダ／ライタ２０によって、地域放送の受信に応じて提供される電子貨幣が、クローズドメモリ領域２４０に格納されるまでの動作について、図６を参照しながら説明する。図６は、リーダ／ライタ２０、オープンメモリ領域２２０及びクローズドメモリ領域２４０における動作を示すシーケンス図である。
【００６３】
ステップＳ３０１において、オープンメモリ領域２２０は、充足情報生成部１１６から転送された充足情報Ｅを格納する。
【００６４】
ステップＳ３０２において、リーダ／ライタ２０は、非接触型ＩＣチップ２００が近づけられると、非接触型ＩＣチップ２００の存在を検出する。
【００６５】
ステップＳ３０３において、リーダ／ライタ２０は、クローズドメモリ領域２４０との間で認証を行う。
【００６６】
ステップＳ３０４において、リーダ／ライタ２０は、クローズドメモリ領域２４０との間で電子決済を行う。即ち、リーダ／ライタ２０は、クローズドメモリ領域２４０に格納されている特定の電子貨幣の残高を書き換える。
【００６７】
ステップＳ３０５において、リーダ／ライタ２０は、オープンメモリ領域２２０に格納された充足情報Ｅを取得する。
【００６８】
ステップＳ３０６において、リーダ／ライタ２０は、充足情報Ｅに基づいて、移動端末１に提供すべき電子貨幣の種類及びその値を検出する。
【００６９】
ステップＳ３０７において、リーダ／ライタ２０は、充足情報Ｅから検出された電子貨幣の種類及び値をクローズドメモリ領域２４０に送信する。
【００７０】
（７）移動端末１の動作（その３）
次に、複数の地域放送に関する放送情報Ｘが格納部１２０に格納されている場合において、一の地域放送を受信する場合の動作について、図７を参照しながら説明する。図７は、移動端末１における動作を示すフローチャートである。
【００７１】
ステップＳ４０１において、選択部１４０は、放送情報Ｘの呼び出し指示をユーザから受付ける。
【００７２】
ステップＳ４０２において、放送情報処理部１１２は、格納部１２０に格納されている放送情報Ｘを、映像出力部１３０又は音声出力部１３５から出力する。放送情報処理部１１２は、全ての放送情報Ｘを出力してもよい。
【００７３】
ステップＳ４０３において、選択部１４０は、ユーザによる地域放送の受信指示の有無を確認する。選択部１４０は、ユーザからの受信指示が有った場合、処理はステップＳ４０４に進む。一方、ユーザからの受信指示が無かった場合、処理は終了する。
【００７４】
ステップＳ４０４において、放送情報処理部１１２は、選択された放送情報Ｘの選局情報Ａに含まれる周波数を示す情報を受信部１５０に転送する。
【００７５】
ステップＳ４０５において、受信部１５０は、放送情報処理部１１２から転送される周波数を示す情報に基づいて、地域放送の周波数にチューニングを行い、地域放送の受信を開始する。
【００７６】
ステップＳ４０６において、放送情報処理部１１２は、受信を行う地域放送の放送情報Ｘの電子貨幣情報Ｃに、当該電子貨幣情報Ｃに基づく充足情報Ｅが非接触型ＩＣチップに転送されたことを示すフラグ情報が付加されているか否か確認する。電子貨幣情報Ｃにフラグ情報が付加されていない場合、上記ステップＳ２０１に処理が進む。一方、電子貨幣情報Ｃにフラグ情報が付加されている場合、放送情報処理部１１２は、条件判定部１１４に条件情報Ｄを転送しない。従って、条件判定部１１４は、条件情報Ｄに示される所定の条件が充たされたか否かの判定を行わない。
【００７７】
（８）作用及び効果
本実施形態に係る通信システムによれば、移動端末１は、所定の条件を満たした場合に移動端末１において生成される充足情報Ｅを、非接触型ＩＣチップのフリー領域であるオープンメモリ領域に格納する。リーダ／ライタ２０は、非接触型ＩＣチップとの間で電子貨幣を用いた取引の決済を行う際に、充足情報Ｅに基づいた電子貨幣を、非接触型ＩＣチップの共通領域であるクローズドメモリ領域２４０に送信する。
【００７８】
このように、移動端末１は、充足情報Ｅを非接触型ＩＣチップ２００のフリー領域であるオープンメモリ領域２２０に一旦格納する。リーダ／ライタ２０は、オープンメモリ領域２２０に格納された充足情報Ｅを取得する。その結果、リーダ／ライタ２０は、充足情報Ｅに基づいて、地域放送の受信に応じて提供される電子貨幣をクローズドメモリ領域２４０に格納することができる。
【００７９】
また、このようなリーダ／ライタ２０による電子貨幣の格納は、リーダ／ライタ２０と非接触型ＩＣチップ２００との間で電子決済と同時に行われる。従って、移動端末１のユーザは、地域放送の受信に応じて提供される電子貨幣を取得するための特別な手続きを行う必要がない。なお、リーダ／ライタ２０がクローズドメモリ領域２４０へ電子貨幣を格納するため、クローズドメモリ領域２４０のセキュリティは確保される。
【００８０】
ここで、地域放送を提供する放送事業者（例えば、特定地域における店舗の事業主）は、地域放送のカバーエリアは狭小であるため、ユーザが当該カバーエリア内に位置する短期間の間に地域放送をユーザに視聴させたい。
【００８１】
本実施形態において、条件判定部１１４は、放送情報Ｘ（周波数を示す情報を含む）を取得したときから所定の期間内において、所定の時間以上地域放送を受信した場合に、所定の条件が充たされたと判定する。また、番組情報Ｂ、電子貨幣情報Ｃ及び条件情報Ｄは、映像出力部１３０などによってユーザに通知される。
【００８２】
従って、番組情報Ｂ及び電子貨幣情報Ｃをユーザに通知することにより地域放送に対するユーザの関心を高めるだけでなく、ユーザが特定の地域に位置する短期間の間に、ユーザが地域放送を視聴するように誘導することができる。
【００８３】
また、本実施形態では、放送情報取得部１００によって取得した放送情報Ｘを、映像出力部１３０で表示することによりユーザに通知した後、ユーザからの受信指示に応じて放送情報処理部１１２が受信部１５０を起動する。従って、放送情報Ｘの取得から地域放送の受信までを一連の動作として処理することができる。
【００８４】
（９）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態が明らかとなろう。
【００８５】
例えば、上記実施形態では、ワンセグ放送の放送方式を用いて地域放送を行うこととして説明したが、他の放送方式によって地域放送を行ってもよい。本発明は、地域放送の放送方式を限定するものではなく、移動端末１の放送アプリケーションによって受信できる放送方式を用いていればよい。
【００８６】
また、上記実施形態では、条件判定部１１４は、受信部１５０が地域放送を連続受信した受信時間を計測することとしたが、断続的に受信した時間の合計を算出してもよい。なお、条件判定部１１４は、条件情報Ｄが示す条件に応じて条件が充たされたか否かを判定するため、判定手法は時間の計測に限らない。
【００８７】
また、上記実施形態では、移動端末１は非接触型ＩＣチップ２００を内蔵することとしたが、接触型ＩＣチップであってもよい。
【００８８】
また、上記実施形態では、非接触型ＩＣチップ２００は、移動端末１に抜き差し可能な構成、例えば、カードタイプであってもよい。
【００８９】
また、上記実施形態において、リーダ／ライタ２０の取得部２４がオープンメモリ領域２２０から充足情報Ｅを取得する動作は、移動端末１からリーダ／ライタ２０に送信されるコマンドに基づいて行われてもよい。例えば、充足情報生成部１１６が充足情報Ｅを生成する際に、オープンメモリ領域２２０に格納された充足情報Ｅの取得要求コマンドを併せて生成することができる。取得部２４は、このようなコマンドに基づいて充足情報Ｅをオープンメモリ領域２２０から取得する。
【００９０】
また、充足情報Ｅの格納場所は、非接触ＩＣチップ２００のオープンメモリ領域２２０に限らず、例えば、格納部１２０であってもよい。
【００９１】
また、上記実施形態において、条件判定部１１４は、受信状態が悪化したことによって地域放送の受信が途絶えた後、再度、地域放送を受信し直した場合には、計測をリセットして再計測を開始することが好ましい。
【００９２】
また、上記実施形態において、選局情報Ａは、地域放送が放送される期間を示す期間情報を含んでいてもよい。この場合、放送情報処理部１１２は、期間情報に基づいて地域放送が放送されていないと判定した場合には、格納部１２０に放送情報Ｘを転送する前に処理を中断する。
【図面の簡単な説明】
【００９３】
【図１】本発明の実施形態に係る通信システムの概略構成図である。
【図２】本発明の実施形態に係る移動端末１の構成を示すブロック図である。
【図３】本発明の実施形態に係る非接触型ＩＣチップ２００及びリーダ／ライタ２０の構成を示すブロック図である。
【図４】本発明の実施形態に係る移動端末１における動作を示すフローチャートである（その１）。
【図５】本発明の実施形態に係る移動端末１における動作を示すフローチャートである（その２）。
【図６】本発明の実施形態に係るリーダ／ライタ２０、オープンメモリ領域２２０及びクローズドメモリ領域２４０における動作を示すシーケンス図である。
【図７】本発明の実施形態に係る移動端末１における動作を示すフローチャートである（その３）。
【符号の説明】
【００９４】
Ａ…選局情報
Ｂ…番組情報
Ｃ…電子貨幣情報
Ｄ…条件情報
Ｅ…充足情報
Ｘ…放送情報
１…移動端末
１０…放送送信局
１１…放送管理サーバ
２０…リーダ／ライタ
２１…ＩＣ管理サーバ
２２…制御部
２４…取得部
２６…送信部
１００…放送情報取得部
１１０…制御部
１１２…放送情報処理部
１１４…条件判定部
１１６…充足情報生成部
１２０…格納部
１３０…映像出力部
１３５…音声出力部
１４０…選択部
１５０…受信部
２００…非接触型ＩＣチップ
２２０…オープンメモリ領域
２４０…クローズドメモリ領域
【図１】
0005111985.tif 000002
【図２】
0005111985.tif 000003
【図３】
0005111985.tif 000004
【図４】
0005111985.tif 000005
【図５】
0005111985.tif 000006
【図６】
0005111985.tif 000007
【図７】
0005111985.tif 000008